(57)【要約】【課題】データの再送回数を少なくし、伝送効率の向上を図ることができる通信端末装置及び移動方向検出方法を提供する。【解決手段】移動方向算出部１１０は、誤り記憶部１０７で記憶されたＮＡＣＫ信号又はＡＣＫ信号と、位置情報記憶部１０９で記憶された位置情報から、過去にＡＣＫ信号が多かったときの位置、すなわち、誤りが少なかったときの位置の情報に基づき、通信状態のさらなる改善を期待できる方向を推定し、移動方向の指示を移動方向指示部１１１に出力する。移動方向指示部１１１は、移動方向を指示する。【選択図】      図１
2004153528.tif 000002
【特許請求の範囲】
【請求項１】
自機の位置情報を取得することができる通信端末装置であって、
前記位置情報と、受信状態を示す情報あるいは受信状態に影響を与える事項に関する情報と、を併用して、前記基地局との間の通信状態がより良好となることが期待される方向の情報を取得する方向情報取得手段と、
取得された前記方向の情報を表示する表示手段と、
を有することを特徴とする通信端末装置。
【請求項２】
自機の位置情報を取得することができる通信端末装置であって、
基地局装置との通信における誤りの程度の情報、受信品質の情報、前記基地局装置と前記通信端末との位置関係の情報、あるいは前記基地局装置の容量情報のうちの少なくとも一つの情報と、前記自機の位置情報と、を併用することにより、前記基地局との間の通信状態がより良好となることが期待される方向の情報を取得する方向情報取得手段と、
取得された前記方向の情報を表示する表示手段と、
を有することを特徴とする通信端末装置。
【請求項３】
受信データの誤りを検出する誤り検出手段と、前記誤り検出結果を記憶する誤り記憶手段と、外部から位置情報を取得する位置情報取得手段と、前記位置情報を記憶する位置情報記憶手段と、前記記憶された過去の誤り検出結果と前記記憶された過去の位置情報から移動する方向を算出する移動方向算出手段と、前記移動方向を指示する移動方向指示手段と、を具備することを特徴とする通信端末装置。
【請求項４】
移動方向算出手段は、過去に誤りが少なかったときの位置を移動する方向とすることを特徴とする請求項３記載の通信端末装置。
【請求項５】
受信データの受信品質を測定する受信品質測定手段と、前記受信品質を記憶する受信品質記憶手段と、外部から位置情報を取得する位置情報取得手段と、前記位置情報を記憶する位置情報記憶手段と、前記記憶された過去の受信品質と前記記憶された過去の位置情報から移動する方向を算出する移動方向算出手段と、前記移動方向を指示する移動方向指示手段と、を具備することを特徴とする請求項３又は請求項４に記載の通信端末装置。
【請求項６】
移動方向算出手段は、過去に受信品質が良かったときの位置を移動する方向と算出することを特徴とする請求項３から請求項５いずれかに記載の通信端末装置。
【請求項７】
外部から位置情報を取得する位置情報取得手段と、外部から地図情報を取得する地図情報取得手段と、外部から通信端末装置と通信を行っている基地局装置の位置情報を取得する基地局装置位置情報取得手段と、前記位置情報と前記地図情報と前記基地局装置の位置情報から移動する方向を算出する移動方向算出手段と、前記移動方向を指示する移動方向指示手段と、を具備することを特徴とする請求項３から請求項６いずれかに記載の通信端末装置。
【請求項８】
移動方向算出手段は、通信端末装置と基地局装置との間の遮蔽物を避ける方向を移動する方向と算出することを特徴とする請求項３から請求項７いずれかに記載の通信端末装置。
【請求項９】
移動方向算出手段は、基地局装置の方向を移動する方向と算出することを特徴とする請求項３から請求項８いずれかに記載の通信端末装置。
【請求項１０】
外部から位置情報を取得する位置情報取得手段と、外部から地図情報を取得する地図情報取得手段と、外部から受信品質の分布情報を取得する受信品質分布情報取得手段と、前記位置情報と前記地図情報と前記受信品質の分布情報から移動する方向を算出する移動方向算出手段と、前記移動方向を指示する移動方向指示手段と、を具備することを特徴とする請求項３から請求項９いずれかに記載の通信端末装置。
【請求項１１】
移動方向算出手段は、受信品質の良い方向を移動する方向と算出することを特徴とする請求項３から請求項１０いずれかに記載の通信端末装置。
【請求項１２】
外部から位置情報を取得する位置情報取得手段と、外部から複数の基地局装置の位置情報を取得する基地局装置位置情報取得手段と、外部から前記基地局装置の容量情報を取得する基地局装置容量情報取得手段と、前記位置情報と前記基地局装置の位置情報と前記基地局装置の容量情報から移動する方向を算出する移動方向算出手段と、前記移動方向を指示する移動方向指示手段と、を具備することを特徴とする請求項３から請求項１１いずれかに記載の通信端末装置。
【請求項１３】
移動方向算出手段は、容量の空きが多い基地局装置の方向を移動する方向と算出することを特徴とする請求項３から請求項１２いずれかに記載の通信端末装置。
【請求項１４】
基地局装置容量情報取得手段は、それぞれの基地局装置が通信を行っている通信端末装置の数を取得することを特徴とする請求項１２又は請求項１３に記載の通信端末装置。
【請求項１５】
基地局装置容量情報取得手段は、それぞれの基地局装置が通信端末装置に送信する伝送容量の分布を取得することを特徴とする請求項３から請求項１４いずれかに記載の通信端末装置。
【請求項１６】
移動方向指示手段は、通信端末装置の表示部に方向を示す矢印で指示することを特徴とする請求項３から請求項１５いずれかに記載の通信端末装置。
【請求項１７】
移動方向指示手段は、通信端末装置の表示部に地図を示し、前記地図上に移動する方向を指示することを特徴とする請求項３から請求項１６いずれかに記載の通信端末装置。
【請求項１８】
移動方向指示手段は、通信端末装置の表示部に文字情報で指示することを特徴とする請求項３から請求項１７いずれかに記載の通信端末装置。
【請求項１９】
移動方向指示手段は、音声で指示することを特徴とする請求項３から請求項１８いずれかに記載の通信端末装置。
【請求項２０】
移動方向算出手段は、誤りが多い場合のみ動作することを特徴とする請求項３から請求項１９いずれかに記載の通信端末装置。
【請求項２１】
移動方向指示手段は、誤りが多い場合のみ動作することを特徴とする請求項３から請求項２０いずれかに記載の通信端末装置。
【請求項２２】
請求項２１記載の通信端末装置から送信された移動方向の算出結果に従って、送信アンテナのアレーの指向性又はビーム幅を変更するアンテナ制御手段を具備することを特徴とする基地局装置。
【請求項２３】
無線通信システムに用いられる基地局装置であって、
自機の位置情報を取得することができる通信端末装置から送られてくる前記位置情報と、
前記通信端末装置との間の通信における誤りの程度の情報、受信品質の情報、前記基地局装置と前記通信端末との位置関係の情報、あるいは前記基地局装置の容量情報のうちの少なくとも一つの情報とを併用することにより、前記通信端末装置における通信状態がより良好となることが期待される方向の情報を取得する方向情報取得手段と、
取得された前記方向の情報を前記通信端末装置に無線送信する手段と、を有することを特徴とする基地局装置。
【請求項２４】
自機の位置検出機能を有する通信端末装置の、通信状態がより良好となることが期待される移動方向を検出する方法であって、
前記通信端末装置が、前記自機の位置検出機能を用いて位置情報を取得するステップと、
取得された前記位置情報と、前記通信端末装置における誤りの程度の情報、受信品質の情報、基地局装置と通信端末装置との位置関係の情報あるいは基地局装置の容量情報のうちの少なくとも一つの情報と、を併用することにより、前記通信端末装置における通信状態がより良好となることが期待される方向を検出するステップと、
を有することを特徴とする移動方向検出方法。
【請求項２５】
請求項２４における通信端末装置における通信状態がより良好となることが期待される方向を検出するステップを実現するために、
前記通信端末装置に搭載されるコンピュータを、
前記位置情報と、前記通信端末装置における誤りの程度の情報、受信品質の情報、基地局装置と通信端末装置との位置関係の情報あるいは基地局装置の容量情報のうちの少なくとも一つの情報と、を結びつけて、前記少なくとも一つの情報の２次元的または３次元的な分布情報を得る手段と、
前記分布情報と、自機の現在の位置情報とに基づいて、通信状態がより良好となることが期待される方向を選定する手段と、
して動作させるためのプログラム。
【請求項２６】
請求項２５に記載されるプログラムが記録された情報記録媒体。
【発明の詳細な説明】
【０００１】
【発明の属する技術分野】
本発明は、無線通信システムにおける通信端末装置及び通信端末装置の移動方向検出方法に関する。
【０００２】
【従来の技術】
誤り制御技術の一つとして、受信信号の誤り部分について再送を要求する自動再送要求（ＡＲＱ：Ａｕｔｏｍａｔｉｃ  Ｒｅｐｅａｔ  Ｒｅｑｕｅｓｔ）方式がある。ＡＲＱ方式では、データを受信して復調して復号した結果に対して誤り検出を行い、誤りがある場合はデータの再送を要求するＮＡＣＫ（Ｎｅｇａｔｉｖｅ  Ａｃｋｎｏｗｌｅｄｇｅｍｅｎｔ）信号を作成し、ＮＡＣＫ信号を通信相手である基地局装置に送信する。基地局装置では、通信端末装置から送信されたＮＡＣＫ信号に従ってデータを再送する。
【０００３】
一連の動作を通信端末装置で受信データに誤りがなくなるまで行い、誤りがない場合は次のデータの送信を要求するＡＣＫ（Ａｃｋｎｏｗｌｅｄｇｅｍｅｎｔ）信号を作成し、ＡＣＫ信号を基地局装置に送信する。基地局装置では、通信端末装置から送信されたＡＣＫ信号に従って次のデータを送信する。
【０００４】
また、近年、モバイル携帯機器を用いたインターネットへの高速アクセスの要求が高まっており、ＩＭＴ−２０００に準拠したＣＤＭＡ通信方式では、１０Ｍｂｐｓレベルのダウンリンク高速パケット伝送を実現するＨＳＤＰＡ（Ｈｉｇｈ  Ｓｐｅｅｄ  Ｄｏｗｎｌｉｎｋ  Ｐａｃｋｅｔ  Ａｃｃｅｓｓ）の標準化，規格化が進行している。
【０００５】
ＨＳＤＰＡ技術では、通信の信頼性を保証するために、再送された複数の信号を合成するハイブリッドＡＲＱ（ＨＡＲＱ）技術が採用される予定であり、この場合には、ＡＲＱを用いた誤り制御には、従来に増して高い信頼性が要求されることになる。
【０００６】
また、最近の携帯端末（通信端末装置）には、下記、特許文献１に記載されるように、ＧＰＳ（Ｇｌｏｂａｌ  Ｐｏｓｉｔｉｏｎｉｎｇ  Ｓｙｓｔｅｍ）等を利用した自機の位置検出機能を備えたものがある。
【０００７】
【特許文献１】
特開平９−１８４８７８号公報（図１，図２など）
【０００８】
【発明が解決しようとする課題】
しかしながら、従来の通信端末装置においては、データが誤りやすい環境において、その場所から移動しないでデータを受信すると、受信データに誤りが頻発する恐れがあり、データの再送回数が多くなる。その結果、完全にデータを受信するのに時間がかかり、無線通信システムの伝送効率が悪くなるという問題がある。
【０００９】
本発明はかかる点に鑑みてなされたものであり、データの再送回数を少なくし、伝送効率の向上を図ることができる通信端末装置及び移動方向検出方法を提供することを目的とする。
【００１０】
【課題を解決するための手段】
上述したとおり、最近の携帯端末（通信端末装置）には、ＧＰＳ（Ｇｌｏｂａｌ  Ｐｏｓｉｔｉｏｎｉｎｇ  Ｓｙｓｔｅｍ）等を利用した自機の位置検出機能を備えたものがある。本発明では、このことに着目し、携帯端末（通信端末装置）の位置情報と、受信状態を示す情報あるいは受信状態に影響を与える事項に関する情報（具体的には、携帯端末装置における誤りの程度の情報、受信品質の情報、基地局装置と通信端末装置との位置関係の情報、あるいは基地局装置の容量情報のうちの少なくとも一つの情報）とを結びつけて、携帯端末装置端末装置における通信状態がより良好となることが期待される方向を検出する。
【００１１】
この方向の情報は、受信状態のさらなる改善が期待できる進行方向を示すものである。この情報を活用すると、移動体端末装置のユーザーは、例えば、より良好な通信が可能な通勤路や通学路を新規に開拓したり、あるいは、外回りのセールスマンが、自社のサーバーにアクセスして種々のデータを読み出すのに好適な位置を知ったり、その位置を考慮して効率的な外回りの経路を策定する等、いろいろなメリットを得ることができる。
【００１２】
本発明の通信端末装置の一つの態様では、受信データの誤りを検出する誤り検出手段と、前記誤り検出結果を記憶する誤り記憶手段と、外部から位置情報を取得する位置情報取得手段と、前記位置情報を記憶する位置情報記憶手段と、前記記憶された過去の誤り検出結果と前記記憶された過去の位置情報から移動する方向を算出する移動方向算出手段と、前記移動方向を指示する移動方向指示手段と、を具備する構成を採る。
【００１３】
また、本発明の通信端末装置の他の態様では、上記通信端末装置において、移動方向算出手段は、過去に誤りが少なかったときの位置を移動する方向と算出する構成を採る。
【００１４】
これらの構成によれば、過去に誤りが少なかったときの位置を移動する方向と算出し、移動方向の指示に従って移動することで、受信データの誤りが少なくなるためデータの再送回数を少なくし、伝送効率の向上を図ることができる。
【００１５】
また、本発明の通信端末装置の他の態様では、上記通信端末装置において、受信データの受信品質を測定する受信品質測定手段と、前記受信品質を記憶する受信品質記憶手段と、外部から位置情報を取得する位置情報取得手段と、前記位置情報を記憶する位置情報記憶手段と、前記記憶された過去の受信品質と前記記憶された過去の位置情報から移動する方向を算出する移動方向算出手段と、前記移動方向を指示する移動方向指示手段と、を具備する構成を採る。
【００１６】
また、本発明の通信端末装置の他の態様では、上記通信端末装置において、移動方向算出手段は、過去に受信品質が良かったときの位置を移動する方向と算出する構成を採る。
【００１７】
これらの構成によれば、過去に受信品質が良かったときの位置を移動する方向と算出し、移動方向の指示に従って移動することで、受信データの誤りが少なくなるためデータの再送回数を少なくし、伝送効率の向上を図ることができる。
【００１８】
また、本発明の通信端末装置の他の態様では、上記通信端末装置において、外部から位置情報を取得する位置情報取得手段と、外部から地図情報を取得する地図情報取得手段と、外部から通信端末装置と通信を行っている基地局装置の位置情報を取得する基地局装置位置情報取得手段と、前記位置情報と前記地図情報と前記基地局装置の位置情報から移動する方向を算出する移動方向算出手段と、前記移動方向を指示する移動方向指示手段と、を具備する構成を採る。
【００１９】
また、本発明の通信端末装置の他の態様では、上記通信端末装置において、移動方向算出手段は、通信端末装置と基地局装置との間の遮蔽物を避ける方向を移動する方向と算出する構成を採る。
【００２０】
これらの構成によれば、通信端末装置と基地局装置との間の遮蔽物を避けた位置を移動する方向と算出し、移動方向の指示に従って移動することで、受信データの誤りが少なくなるためデータの再送回数を少なくし、伝送効率の向上を図ることができる。
【００２１】
また、本発明の通信端末装置の他の態様では、上記通信端末装置において、移動方向算出手段は、基地局装置の方向を移動する方向と算出する構成を採る。
【００２２】
この構成によれば、基地局装置の方向を移動する方向と算出し、移動方向の指示に従って基地局装置に近付くことで、受信データの誤りが少なくなるためデータの再送回数を少なくし、伝送効率の向上を図ることができる。
【００２３】
また、本発明の通信端末装置の他の態様では、上記通信端末装置において、外部から位置情報を取得する位置情報取得手段と、外部から地図情報を取得する地図情報取得手段と、外部から受信品質の分布情報を取得する受信品質分布情報取得手段と、前記位置情報と前記地図情報と前記受信品質の分布情報から移動する方向を算出する移動方向算出手段と、前記移動方向を指示する移動方向指示手段と、を具備する構成を採る。
【００２４】
また、本発明の通信端末装置の他の態様では、上記通信端末装置において、移動方向算出手段は、受信品質の良い方向を移動する方向と算出する構成を採る。
【００２５】
これらの構成によれば、あらかじめ受信品質が測定されている分布から、受信品質が良くなることが予想される方向を知ることができ、その方向を移動する方向と算出し、移動方向の指示に従って移動することで、受信データの誤りが少なくなるためデータの再送回数を少なくし、伝送効率の向上を図ることができる。
【００２６】
また、本発明の通信端末装置の他の態様では、上記通信端末装置において、外部から位置情報を取得する位置情報取得手段と、外部から複数の基地局装置の位置情報を取得する基地局装置位置情報取得手段と、外部から前記基地局装置の容量情報を取得する基地局装置容量情報取得手段と、前記位置情報と前記基地局装置の位置情報と前記基地局装置の容量情報から移動する方向を算出する移動方向算出手段と、前記移動方向を指示する移動方向指示手段と、を具備する構成を採る。
【００２７】
また、本発明の通信端末装置の他の態様では、上記通信端末装置において、移動方向算出手段は、容量の空きが多い基地局装置の方向を移動する方向と算出する構成を採る。
【００２８】
これらの構成によれば、容量の空きが多い基地局装置の方向を移動する方向と算出し、移動方向の指示に従って容量の空きが多い基地局装置に近付き、その基地局装置と通信することで、受信データの誤りが少なくなるためデータの再送回数を少なくし、伝送効率の向上を図ることができる。
【００２９】
また、本発明の通信端末装置の他の態様では、上記通信端末装置において、基地局装置容量情報取得手段は、それぞれの基地局装置が通信を行っている通信端末装置の数を取得する構成を採る。
【００３０】
この構成によれば、通信端末装置と通信を行っている数が少ない基地局装置の方向を移動する方向と算出し、移動方向の指示に従って通信端末装置と通信を行っている数が少ない基地局装置に近付き、その基地局装置と通信することで、受信データの誤りが少なくなるためデータの再送回数を少なくし、伝送効率の向上を図ることができる。
【００３１】
また、本発明の通信端末装置の他の態様では、上記通信端末装置において、基地局装置容量情報取得手段は、それぞれの基地局装置が通信端末装置に送信する伝送容量の分布を取得する構成を採る。
【００３２】
この構成によれば、通信端末装置に送信している伝送容量が少ない基地局装置の方向を移動する方向と算出し、移動方向の指示に従って通信端末装置に送信している伝送容量が少ない基地局装置に近付き、その基地局装置と通信することで、受信データの誤りが少なくなるためデータの再送回数を少なくし、伝送効率の向上を図ることができる。
【００３３】
また、本発明の通信端末装置の他の態様では、上記通信端末装置において、移動方向指示手段は、通信端末装置の表示部に方向を示す矢印で指示する構成を採る。
【００３４】
この構成によれば、通信端末装置の表示部の矢印を見ることで、データの再送回数が少なくなるための移動する方向を知ることができる。
【００３５】
また、本発明の通信端末装置の他の態様では、上記通信端末装置において、移動方向指示手段は、通信端末装置の表示部に地図を示し、前記地図上に移動する方向を指示する構成を採る。
【００３６】
この構成によれば、通信端末装置の表示部の地図を見ることで、データの再送回数が少なくなるための移動する正確な方向を知ることができる。
【００３７】
また、本発明の通信端末装置は、上記通信端末装置において、移動方向指示手段は、通信端末装置の表示部に文字情報で指示する構成を採る。
【００３８】
この構成によれば、通信端末装置の表示部の文字情報を見ることで、データの再送回数が少なくなるための移動する方向を知ることができる。
【００３９】
また、本発明の通信端末装置の他の態様では、上記通信端末装置において、移動方向指示手段は、音声で指示する構成を採る。
【００４０】
この構成によれば、通信端末装置からの音声の指示を聞くことで、データの再送回数が少なくなるための移動する方向を知ることができる。
【００４１】
また、本発明の通信端末装置の他の態様では、上記通信端末装置において、移動方向算出手段は、誤りが多い場合のみ動作する構成を採る。
【００４２】
また、本発明の通信端末装置の他の態様では、上記通信端末装置において、移動方向指示手段は、誤りが多い場合のみ動作する構成を採る。
【００４３】
これらの構成によれば、受信データの誤りが少ない場合は移動する必要がないため移動方向の算出及び指示する動作をさせないことで、通信端末装置の消費電力を抑えることができる。
【００４４】
また、本発明の基地局装置の一つの態様では、上記通信端末装置から送信された移動方向の算出結果に従って、送信アンテナのアレーの指向性又はビーム幅を変更するアンテナ制御手段を具備する構成を採る。
【００４５】
この構成によれば、通信端末装置が移動する方向に送信アンテナのアレーの指向性又はビーム幅を向けて送信することで、通信端末装置において受信データの誤りが少なくなるためデータの再送回数を少なくし、伝送効率の向上を図ることができる。
【００４６】
また、本発明の基地局装置の他の態様では、基地局装置が、通信端末装置における通信状態のさらなる改善が期待できる方向を検出し、その検出した方向の情報を、ダウンリンク回線を介して通信端末装置に通知する。
【００４７】
基地局装置は、管轄するセルや隣接するセルにおけるトラフィック情報等を容易に取得できるため、このような情報を加味した進行方向の検出を行う場合には基地局側にて方向検出動作を行う方が有利となる。また、通信端末装置の処理量を少なくすることができるので、消費電力を抑えることができる。
【００４８】
また、本発明にかかる、自機の位置検出機能を有する通信端末装置の通信状態がより良好となることが期待される移動方向を検出する方法（移動方向検出方法）は、通信端末装置が、前記自機の位置検出機能を用いて位置情報を取得するステップと、取得された前記位置情報と、通信端末装置における誤りの程度の情報、受信品質の情報、基地局装置と通信端末装置との位置関係の情報あるいは基地局装置の容量情報のうちの少なくとも一つの情報とを併用することにより、通信端末装置における通信状態がより良好となることが期待される方向を検出するステップと、を有する。
【００４９】
本発明の移動方向検出方法により、基地局装置から通信端末装置へのデータの再送回数が減少し、これにより、伝送効率の向上を図ることができる。
【００５０】
また、本発明にかかるプログラムは、前記本発明の移動方向検出方法における、前記通信端末がより良好となることが期待される方向を検出するステップを実現するために、前記通信端末装置に搭載されるコンピュータを、前記位置情報と、前記通信端末装置における誤りの程度の情報、受信品質の情報、基地局装置と通信端末装置との位置関係の情報あるいは基地局装置の容量情報のうちの少なくとも一つの情報と、を結びつけて、前記少なくとも一つの情報の２次元的または３次元的な分布情報を得る手段と、前記分布情報と、自機の現在の位置情報とに基づいて、通信状態がより良好となることが期待される方向を選定する手段と、して動作させるためのプログラムである。
【００５１】
本発明のプログラムをコンピュータにローディングすることにより、受信データの誤りが少なくなると期待される方向を容易に検出することができる。
【００５２】
また、本発明の情報記録媒体は、前記本発明のプログラムが記録された情報記録媒体である。
【００５３】
この情報記録媒体を携帯端末にセットすることにより、受信が良好となると期待される方向を指示するという、従来にない斬新な機能を、携帯端末装置に付与することができる。この新規な機能を活用することにより、基地局装置からのデータ再送を減少させることが可能となる。
【００５４】
【発明の実施の形態】
本発明の骨子は、過去の誤り検出結果と過去の位置情報から、過去に誤りが少なかったときの位置を移動する方向と算出し、移動方向の指示に従って移動することで、受信データの誤りが少なくなるためデータの再送回数を少なくし、伝送効率の向上を図ることができることである。
【００５５】
以下、本発明の実施の形態について、図面を参照して詳細に説明する。
【００５６】
（実施の形態１）
図１は、本発明の実施の形態１に係る通信端末装置の構成を示すブロック図である。
【００５７】
通信端末装置１００において、アンテナ１０１は、受信した無線信号をアンテナ共用部１０２に出力し、アンテナ共用部１０２から出力された送信信号を無線送信する。アンテナ共用部１０２は、アンテナ１０１が受信した無線信号を受信信号として受信無線部１０３に出力し、送信無線部１１４から出力された送信信号をアンテナ１０１から無線送信する。受信無線部１０３は、アンテナ共用部１０２から出力された受信信号に無線処理を施し、復調部１０４に出力する。復調部１０４は、受信無線部１０３から出力された受信信号を復調して、復号部１０５に出力する。復号部１０５は、復調部１０４から出力された受信信号を復号し、受信データとして誤り検出部１０６に出力する。
【００５８】
誤り検出部１０６は、復号部１０５から出力された受信データの誤り検出を行い、誤りがある場合はデータの再送を要求するＮＡＣＫ信号を作成し、誤りがない場合は次のデータの送信を要求するＡＣＫ信号を作成し、ＮＡＣＫ信号又はＡＣＫ信号を送信フレーム作成部１１２及び誤り記憶部１０７に出力する。誤り記憶部１０７は、誤り検出部１０６から出力されたＮＡＣＫ信号又はＡＣＫ信号を記憶する。
【００５９】
位置情報取得部１０８は、例えば、ＧＰＳシステムを用いて自機の位置情報を取得する。すなわち、位置情報取得部１０８は、アンテナＡＮにより衛星ＳＴからの信号を受信し、通信端末装置の現在の位置情報を取得し、位置情報を位置情報記憶部１０９に出力する。
【００６０】
位置情報記憶部１０９は、位置情報取得部１０８から出力された位置情報を記憶する。
【００６１】
移動方向算出部１１０は、誤り記憶部１０７で記憶されたＮＡＣＫ信号又はＡＣＫ信号と、位置情報記憶部１０９で記憶された位置情報から、過去にＡＣＫ信号が多かった、すなわち、誤りが少なかったときの位置を移動する方向と算出し、移動方向の指示を移動方向指示部１１１に出力する。移動方向指示部１１１は、移動方向算出部１１０から出力された移動方向の指示に従って、移動方向を指示する。
【００６２】
送信フレーム作成部１１２は、送信データと、誤り検出部１０６から出力されたＮＡＣＫ信号又はＡＣＫ信号から送信フレームを作成し、変調部１１３に出力する。変調部１１３は、送信フレーム作成部１１２から出力された送信フレームを変調し、送信無線部１１４に出力する。送信無線部１１４は、変調部１１３から出力された送信信号に無線処理を施し、アンテナ共用部１０２に出力する。
【００６３】
次に、本実施の通信端末装置の動作について説明する。
【００６４】
通信端末装置１００において、無線信号は、アンテナ１０１で受信され、アンテナ共用部１０２を介して受信無線部１０３に受信信号として出力される。受信信号は、受信無線部１０３で無線処理が施され、復調部１０４に出力される。無線処理が施された受信信号は、復調部１０４で復調され、復号部１０５に出力される。復調された受信信号は、復号部１０５で復号され、受信データとして誤り検出部１０６に出力される。
【００６５】
受信データは、誤り検出部１０６で誤り検出が行われ、誤りがある場合はデータの再送を要求するＮＡＣＫ信号が作成され、誤りがない場合は次のデータの送信を要求するＡＣＫ信号が作成され、ＮＡＣＫ信号又はＡＣＫ信号は、送信フレーム作成部１１２及び誤り記憶部１０７に出力される。ＮＡＣＫ信号又はＡＣＫ信号は、誤り記憶部１０７で記憶される。
【００６６】
通信端末装置の現在の位置情報は、位置情報取得部１０８でＧＰＳ等により外部から取得され、位置情報記憶部１０９に出力される。位置情報は、位置情報記憶部１０９で記憶される。
【００６７】
移動方向算出部１１０で、誤り記憶部１０７で記憶されたＮＡＣＫ信号又はＡＣＫ信号と、位置情報記憶部１０９で記憶された位置情報から、過去にＮＡＣＫ信号が多かった、すなわち、誤りが多かった位置と、過去にＡＣＫ信号が多かった、すなわち、誤りが少なかった位置が求められ、過去に誤りが少なかった位置が通信端末装置の移動する方向として算出され、移動方向の指示は、移動方向指示部１１１に出力される。移動方向は、移動方向指示部１１１で移動方向の指示に従って指示される。
【００６８】
図２は、本実施の形態の通信端末装置の移動方向の算出の様子を示す図である。ここでは、ＮＡＣＫ信号を×、ＡＣＫ信号を○で示す。ＮＡＣＫ信号又はＡＣＫ信号と位置情報から、過去のＮＡＣＫ信号とＡＣＫ信号が作成されたときの位置の分布が求められ、過去にＡＣＫ信号（○）が多かった、すなわち、誤りが少なかった位置が通信端末装置２００の移動する方向（ここでは矢印で示す）として算出される。
【００６９】
ＮＡＣＫ信号又はＡＣＫ信号は、送信フレーム作成部１１２で送信データと共に送信フレームとして構成される。送信フレームは、変調部１１３で変調される。変調された送信信号は、送信無線部１１４で無線処理が施され、アンテナ共用部１０２に出力される。無線処理が施された送信信号は、アンテナ共用部１０２を介して、アンテナ１０１から無線送信される。
【００７０】
このように、本実施の形態によれば、過去のＮＡＣＫ信号とＡＣＫ信号の位置の分布から、過去に誤りが少なかったときの位置を移動する方向と算出し、移動方向の指示に従って過去に誤りが少なかった位置に移動することで、受信データの誤りが少なくなるためデータの再送回数を少なくし、伝送効率の向上を図ることができる。
【００７１】
（実施の形態２）
図３は、本発明の実施の形態２に係る通信端末装置の構成を示すブロック図である。なお、この図において前述した図１と共通する部分には同一の符号を付けてその説明を省略する。
【００７２】
通信端末装置３００において、受信品質測定部３０１は、受信無線部１０３から出力された受信信号の品質を測定し、得られた受信品質を示す受信品質情報を受信品質記憶部３０２に出力する。受信品質記憶部３０２は、受信品質測定部３０１から出力された受信品質情報を記憶する。
【００７３】
移動方向算出部１１０は、受信品質記憶部３０２で記憶された受信品質情報と、位置情報記憶部１０９で記憶された位置情報から、過去に受信品質が良かったときの位置を移動する方向と算出し、移動方向の指示を移動方向指示部１１１に出力する。
【００７４】
次に、本実施の通信端末装置の動作について説明する。
【００７５】
通信端末装置３００において、受信信号は、受信無線部１０３で無線処理が施され、復調部１０４及び受信品質測定部３０１に出力される。受信信号の品質は、受信品質測定部３０１で無線処理が施された受信信号から測定され、受信品質情報として受信品質記憶部３０２に出力される。受信品質情報は、受信品質記憶部３０２で記憶される。
【００７６】
移動方向算出部１１０で、受信品質記憶部３０２で記憶された受信品質情報と、位置情報記憶部１０９で記憶された位置情報から、過去に受信品質が良かった位置と、過去に受信品質が悪かった位置が求められ、過去に受信品質が良かった位置が通信端末装置の移動する方向として算出され、移動方向の指示は、移動方向指示部１１１に出力される。
【００７７】
図４は、本実施の形態の通信端末装置の移動方向の算出の様子を示す図である。ここでは、例えば、受信品質を良い順番に１、２、３、４の四段階で示すとする。受信品質情報と位置情報から、過去の受信品質の位置の分布が求められ、過去に受信品質が良かった位置が通信端末装置４００の移動する方向（ここでは矢印で示す）として算出される。
【００７８】
このように、本実施の形態によれば、過去の受信品質の位置の分布から、過去に受信品質が良かったときの位置を移動する方向と算出し、移動方向の指示に従って過去に受信品質が良かった位置に移動することで、受信データの誤りが少なくなるためデータの再送回数を少なくし、伝送効率の向上を図ることができる。
【００７９】
（実施の形態３）
図５は、本発明の実施の形態３に係る通信端末装置の構成を示すブロック図である。なお、この図において前述した図１と共通する部分には同一の符号を付けてその説明を省略する。
【００８０】
通信端末装置５００において、位置情報取得部１０８は、ＧＰＳ等により外部から通信端末装置の位置情報を取得する。地図情報取得部５０１は、外部から通信端末装置近辺の地図情報を取得する。基地局装置位置情報取得部５０２は、外部から通信端末装置と通信を行っている基地局装置の位置情報を取得する。
【００８１】
移動方向算出部１１０は、通信端末装置の位置情報と、通信端末装置近辺の地図情報と、通信端末装置と通信を行っている基地局装置の位置情報から、通信端末装置と基地局装置との間の遮蔽物を避ける方向を移動する方向と算出し、移動方向の指示を移動方向指示部１１１に出力する。
【００８２】
次に、本実施の通信端末装置の動作について説明する。
【００８３】
通信端末装置５００において、通信端末装置の位置情報は、位置情報取得部１０８でＧＰＳ等により外部から取得される。通信端末装置近辺の地図情報は、地図情報取得部５０１で外部から取得される。通信端末装置と通信を行っている基地局装置の位置情報は、基地局装置位置情報取得部５０２で外部から取得される。
【００８４】
移動方向算出部１１０で、通信端末装置の位置情報と、通信端末装置近辺の地図情報と、通信端末装置と通信を行っている基地局装置の位置情報から、地図上に通信端末装置と、基地局装置と、通信端末装置と基地局装置との間の遮蔽物とが配置され、通信端末装置が遮蔽物を避ける方向を移動する方向として算出され、移動方向の指示は、移動方向指示部１１１に出力される。
【００８５】
図６は、本実施の形態の通信端末装置の移動方向の算出の様子を示す図である。通信端末装置６００が基地局装置６０１と通信を行っているとき、遮蔽物６０２のため受信データに誤りが多くなってしまう。そこで、遮蔽物を避ける方向を通信端末装置６０１の移動する方向（ここでは矢印で示す）として算出される。
【００８６】
このように、本実施の形態によれば、地図上に通信端末装置と、基地局装置と、通信端末装置と基地局装置との間の遮蔽物とを配置し、通信端末装置と基地局装置との間の遮蔽物を避けた位置を移動する方向と算出し、移動方向の指示に従って移動することで、受信データの誤りが少なくなるためデータの再送回数を少なくし、伝送効率の向上を図ることができる。
【００８７】
また、本実施の形態の移動方向算出は、遮蔽物に関わらず基地局装置の方向を移動する方向と算出してもよい。
【００８８】
これにより、基地局装置の方向を移動する方向と算出し、移動方向の指示に従って基地局装置に近付くことで、受信データの誤りが少なくなるためデータの再送回数を少なくし、伝送効率の向上を図ることができる。
【００８９】
（実施の形態４）
図７は、本発明の実施の形態４に係る通信端末装置の構成を示すブロック図である。なお、この図において前述した図１と共通する部分には同一の符号を付けてその説明を省略する。
【００９０】
通信端末装置７００において、位置情報取得部１０８は、ＧＰＳ等により外部から通信端末装置の位置情報を取得する。地図情報取得部５０１は、外部から通信端末装置近辺の地図情報を取得する。受信品質分布情報取得部７０１は、外部からあらかじめ測定された受信品質の分布情報を取得する。
【００９１】
移動方向算出部１１０は、通信端末装置の位置情報と、通信端末装置近辺の地図情報と、あらかじめ測定された受信品質の分布情報から、受信品質の良い方向を移動する方向と算出し、移動方向の指示を移動方向指示部１１１に出力する。
【００９２】
次に、本実施の通信端末装置の動作について説明する。
【００９３】
通信端末装置７００において、通信端末装置の位置情報は、位置情報取得部１０８でＧＰＳ等により外部から取得される。通信端末装置近辺の地図情報は、地図情報取得部５０１で外部から取得される。あらかじめ測定された受信品質の分布情報は、受信品質分布情報取得部７０１で外部から取得される。
【００９４】
移動方向算出部１１０で、通信端末装置の位置情報と、通信端末装置近辺の地図情報と、あらかじめ測定された受信品質の分布情報から、地図上に通信端末装置とその近辺の受信品質の分布が求められ、受信品質の良い位置が通信端末装置の移動する方向として算出され、移動方向の指示は、移動方向指示部１１１に出力される。
【００９５】
図４は、本実施の形態の通信端末装置の移動方向の算出の様子を示す図である。ここでは、例えば、受信品質を良い順番に１、２、３、４の四段階で示すとする。位置情報と地図情報とあらかじめ測定された受信品質の分布情報から、通信端末装置４００近辺の受信品質の分布が求められ、受信品質の良い位置が通信端末装置４００の移動する方向（ここでは矢印で示す）として算出される。
【００９６】
このように、本実施の形態によれば、あらかじめ受信品質が測定されている分布から、受信品質が良くなることが予想される方向を知ることができ、その方向を移動する方向と算出し、移動方向の指示に従って移動することで、受信データの誤りが少なくなるためデータの再送回数を少なくし、伝送効率の向上を図ることができる。
【００９７】
（実施の形態５）
図８は、本発明の実施の形態５に係る通信端末装置の構成を示すブロック図である。なお、この図において前述した図１と共通する部分には同一の符号を付けてその説明を省略する。
【００９８】
通信端末装置８００において、位置情報取得部１０８は、ＧＰＳ等により外部から通信端末装置の位置情報を取得する。基地局装置位置情報取得部５０２は、外部から通信端末装置近辺の複数の基地局装置の位置情報を取得する。基地局装置容量情報取得部８０１は、外部から通信端末装置近辺の複数の基地局装置の容量情報を取得する。
【００９９】
移動方向算出部１１０は、通信端末装置の位置情報と、複数の基地局装置の位置情報と、複数の基地局装置の容量情報から、容量の空きが多い基地局装置の方向を移動する方向を算出して、移動方向の指示を移動方向指示部１１１に出力する。
【０１００】
次に、本実施の通信端末装置の動作について説明する。
【０１０１】
通信端末装置８００において、通信端末装置の位置情報は、位置情報取得部１０８でＧＰＳ等により外部から取得される。通信端末装置近辺の複数の基地局装置の位置情報は、基地局装置位置情報取得部５０２で外部から取得される。通信端末装置近辺の複数の基地局装置の容量情報は、基地局装置容量情報取得部８０１で外部から取得される。
【０１０２】
移動方向算出部１１０で、通信端末装置の位置情報と、複数の基地局装置の位置情報と、複数の基地局装置の容量情報から、通信端末装置の周りの基地局装置の容量がそれぞれ求められ、複数の基地局装置の中から容量の空きが多い基地局装置の方向を移動する方向として算出され、移動方向の指示は、移動方向指示部１１１に出力される。
【０１０３】
図９は、本実施の形態の通信端末装置の移動方向の算出の様子を示す図である。通信端末装置９００の周りに基地局装置Ａ９０１と基地局装置Ｂ９０２と基地局装置Ｃ９０３があり、基地局装置Ｂ９０２、基地局装置Ｃ９０３、基地局装置Ａ９０１の順番に容量に空きがあるとすると、基地局装置Ａ９０１、基地局装置Ｂ９０２、基地局装置Ｃ９０３の中から容量の空きが多い基地局装置Ｂ９０２の方向を通信端末装置９００の移動する方向（ここでは矢印で示す）として算出される。
【０１０４】
このように、本実施の形態によれば、複数の基地局装置の中から容量の空きが多い基地局装置の方向を移動する方向と算出し、移動方向の指示に従って容量の空きが多い基地局装置に近付き、その基地局装置と通信することで、受信データの誤りが少なくなるためデータの再送回数を少なくし、伝送効率の向上を図ることができる。
【０１０５】
また、本実施の形態の基地局装置容量情報取得は、それぞれの基地局装置が通信を行っている通信端末装置の数を取得してもよい。
【０１０６】
これにより、通信端末装置と通信を行っている数が少ない基地局装置の方向を移動する方向と算出し、移動方向の指示に従って通信端末装置と通信を行っている数が少ない基地局装置に近付き、その基地局装置と通信することで、受信データの誤りが少なくなるためデータの再送回数を少なくし、伝送効率の向上を図ることができる。
【０１０７】
また、本実施の形態の基地局装置容量情報取得は、それぞれの基地局装置が通信端末装置に送信する伝送容量の分布を取得してもよい。
【０１０８】
これにより、通信端末装置に送信している伝送容量が少ない基地局装置の方向を移動する方向と算出し、移動方向の指示に従って通信端末装置に送信している伝送容量が少ない基地局装置に近付き、その基地局装置と通信することで、受信データの誤りが少なくなるためデータの再送回数を少なくし、伝送効率の向上を図ることができる。
【０１０９】
（実施の形態６）
図１０は、本発明の実施の形態６に係る基地局装置及び通信端末装置の構成を示すブロック図である。なお、この図において前述した図１と共通する部分には同一の符号を付けてその説明を省略する。
【０１１０】
通信端末装置１０００において、移動方向算出部１１０は、移動する方向を算出し、移動方向の指示を移動方向指示部１１１に出力し、移動方向の算出結果を送信フレーム作成部１１２に出力する。送信フレーム作成部１１２は、送信データと、誤り検出部１０６から出力されたＮＡＣＫ信号又はＡＣＫ信号と、移動方向算出部１１０から出力された移動方向の算出結果から送信フレームを作成し、変調部１１３に出力する。
【０１１１】
基地局装置１００１において、アンテナ１００２、アンテナ１００３及びアンテナ１００４は、受信した無線信号をアンテナ共用部１００５に出力し、アンテナ共用部１００５から出力された送信信号をそれぞれから無線送信する。アンテナ共用部１００５は、アンテナ１００２、アンテナ１００３及びアンテナ１００４が受信した無線信号を受信信号として受信無線部１００６に出力する。またアンテナ共用部１００５は、アレー指向性制御部１０１２から出力された送信アンテナのアレーの指向性又はビーム幅の変更の指示に従って送信アンテナのアレーの指向性又はビーム幅を変更し、送信無線部１０１１から出力された送信信号をアンテナ１００２、アンテナ１００３及びアンテナ１００４からそれぞれ無線送信する。受信無線部１００６は、アンテナ共用部１００５から出力された受信信号に無線処理を施し、復調部１００７に出力する。復調部１００７は、受信無線部１００６から出力された受信信号を復調して、分離部１００８に出力する。分離部１００８は、復調部１００７から出力された受信信号を復号し、受信データとＮＡＣＫ信号又はＡＣＫ信号と移動方向の算出結果に分離し、受信データを出力し、ＮＡＣＫ信号又はＡＣＫ信号を送信フレーム作成部１００９に出力し、移動方向の算出結果をアレー指向性制御部１０１２に出力する。
【０１１２】
送信フレーム作成部１００９は、分離部１００８から出力されたＮＡＣＫ信号又はＡＣＫ信号に応じて送信フレームを作成し、変調部１０１０に出力する。変調部１０１０は、送信フレーム作成部１００９から出力された送信フレームを変調し、送信無線部１０１１に出力する。送信無線部１０１１は、変調部１０１０から出力された送信信号に無線処理を施して、アンテナ共用部１００５に出力する。
【０１１３】
アレー指向性制御部１０１２は、分離部１００８から出力された移動方向の算出結果に従って、送信アンテナのアレーの指向性又はビーム幅の変更の指示をアンテナ共用部１００５に出力する。
【０１１４】
次に、本実施の基地局装置及び通信端末装置の動作について説明する。
【０１１５】
通信端末装置１０００において、移動方向算出部１１０で算出された移動方向は、送信フレーム作成部１１２に出力される。移動方向の算出結果は、送信フレーム作成部１１２で送信データとＮＡＣＫ信号又はＡＣＫ信号と共に送信フレームとして構成される。
【０１１６】
基地局装置１００１において、無線信号は、アンテナ１００２、アンテナ１００３及びアンテナ１００４で受信され、アンテナ共用部１００５を介して受信無線部１００６に受信信号として出力される。受信信号は、受信無線部１００６で無線処理が施され、復調部１００７に出力される。無線処理が施された受信信号は、復調部１００７で復調され、分離部１００８に出力される。復調された受信信号は、分離部１００８で復号され、受信データとＮＡＣＫ信号又はＡＣＫ信号と移動方向の算出結果に分離され、受信データは出力され、ＮＡＣＫ信号又はＡＣＫ信号は送信フレーム作成部１００９に出力され、移動方向の算出結果はアレー指向性制御部１０１２に出力される。
【０１１７】
送信フレームは、分離部１００８から出力されたＮＡＣＫ信号又はＡＣＫ信号に応じて作成され、変調部１０１０に出力される。作成された送信フレームは、変調部１０１０で変調され、送信無線部１０１１に出力される。変調された送信信号は、送信無線部１０１１で無線処理が施され、アンテナ共用部１００５に出力される。
【０１１８】
送信アンテナのアレーの指向性又はビーム幅の変更の指示は、分離部１００８から出力された移動方向の算出結果に従って、アレー指向性制御部１０１２で作成され、アンテナ共用部１００５に出力される。
【０１１９】
図１１は、本実施の形態の基地局装置の送信アンテナのアレーの指向性又はビーム幅の変更の様子を示す図である。基地局装置１１０１が通信端末装置１１００に対して送信アンテナのアレーの指向性又はビーム幅を送信方向Ａ（ここでは矢印で示す）にして送信し、通信端末装置１１００が図中の移動方向（ここでは矢印で示す）を算出したとすると、基地局装置１１０１は送信アンテナのアレーの指向性又はビーム幅を送信方向Ｂ（ここでは矢印で示す）になるように、送信アンテナのアレーの指向性又はビーム幅は変更する。
【０１２０】
送信アンテナのアレーの指向性又はビーム幅は、送信アンテナのアレーの指向性又はビーム幅の変更の指示に従って変更され、無線処理が施された送信信号は、アンテナ共用部１００５を介して、アンテナ１００２、アンテナ１００３及びアンテナ１００４からそれぞれ無線送信される。
【０１２１】
このように、本実施の形態によれば、通信端末装置の移動方向の算出結果から、通信端末装置が移動する方向に送信アンテナのアレーの指向性又はビーム幅を向けて基地局装置が送信することで、受信データの誤りが少なくなるためデータの再送回数を少なくし、伝送効率の向上を図ることができる。
【０１２２】
（実施の形態７）
前掲の実施の形態では、通信端末装置の側で移動方向を算出していたが、図１２に示される本実施の形態（図１３〜図１６も同じである）では、基地局側で移動方向の検出（算出）を行う。
【０１２３】
図１２は、本発明の実施の形態７に係る基地局装置及び通信端末装置の構成を示すブロック図である。なお、この図において前述した図１及び図１０と共通する部分には同一の符号を付けてその説明を省略する。
【０１２４】
本実施の形態の通信端末装置１２００では、位置情報取得部１２０４で取得された位置情報は、送信フレーム作成部１１２を介して、基地局装置１２０１に無線送信されるようになっている。
【０１２５】
また、通信端末装置１２００において、分離部１２０２は、復調部１０４から出力された受信信号を復号し、受信データと移動方向の算出結果に分離し、受信データを誤り検出部１０６に出力し、移動方向の算出結果を移動方向指示部１１１に出力する。誤り検出部１０６は、分離部１２０２から出力された受信データの誤り検出を行い、誤りがある場合はデータの再送を要求するＮＡＣＫ信号を作成し、誤りがない場合は次のデータの送信を要求するＡＣＫ信号を作成し、ＮＡＣＫ信号又はＡＣＫ信号を送信フレーム作成部１１２に出力する。移動方向指示部１１１は、分離部１２０２から出力された移動方向の算出結果に従って、移動方向を指示する。
【０１２６】
基地局装置１２０１において、分離部１００８は、復調部１００７から出力された受信信号を復号すると共に、受信データと、ＮＡＣＫ信号又はＡＣＫ信号と、通信端末装置１２００の現在位置の情報とに分離し、受信データを出力し、ＮＡＣＫ信号又はＡＣＫ信号を送信フレーム作成部１００９及び誤り記憶部１２０３に出力し、通信端末装置１２００の位置情報を位置情報記憶部１２０５に出力する。
【０１２７】
誤り記憶部１２０３は、分離部１００８から出力されたＮＡＣＫ信号又はＡＣＫ信号を記憶する。また、位置情報記憶部１２０５は、分離部１００８から出力された通信端末装置１２００の位置情報を記憶する。
【０１２８】
移動方向算出部１２０６は、誤り記憶部１２０３で記憶されたＮＡＣＫ信号又はＡＣＫ信号と、位置情報記憶部１２０５に記憶された位置情報とから、過去にＡＣＫ信号が多かった、すなわち、誤りが少なかったときの位置を移動する方向と算出し、移動方向の算出結果を送信フレーム作成部１００９に出力する。
【０１２９】
送信フレーム作成部１００９は、分離部１００８から出力されたＮＡＣＫ信号又はＡＣＫ信号に応じて、移動方向算出部１２０６から出力された移動方向の算出結果と共に送信フレームを作成し、変調部１０１０に出力する。
【０１３０】
次に、本実施の基地局装置及び通信端末装置の動作について説明する。
【０１３１】
通信端末装置１２００において、復調部１０４で復調された受信信号は、分離部１２０２で復号され、受信データは誤り検出部１０６に出力され、移動方向の算出結果は移動方向指示部１１１に出力される。受信データは、誤り検出部１０６で誤り検出が行われ、誤りがある場合はデータの再送を要求するＮＡＣＫ信号が作成され、誤りがない場合は次のデータの送信を要求するＡＣＫ信号が作成され、ＮＡＣＫ信号又はＡＣＫ信号は、送信フレーム作成部１１２に出力される。
【０１３２】
基地局装置１２０１において、復調部１００７で復調された受信信号は、分離部１００８で復号され、受信データとＮＡＣＫ信号又はＡＣＫ信号に分離され、受信データは出力され、ＮＡＣＫ信号又はＡＣＫ信号は送信フレーム作成部１００９及び誤り記憶部１２０３に出力され、通信端末装置１２００の位置情報は、位置情報記憶部１２０５に出力される。ＮＡＣＫ信号又はＡＣＫ信号は、誤り記憶部１２０３で記憶される。
【０１３３】
また、通信端末装置１２００から送られてきた、その端末装置の現在の位置情報は、位置情報記憶部１２０５に記憶される。
【０１３４】
移動方向算出部１２０６で、誤り記憶部１２０３で記憶されたＮＡＣＫ信号又はＡＣＫ信号と、位置情報記憶部１２０５で記憶された位置情報から、過去にＮＡＣＫ信号が多かった、すなわち、誤りが多かった位置と、過去にＡＣＫ信号が多かった、すなわち、誤りが少なかった位置が求められ、過去に誤りが少なかった位置が通信端末装置の移動する方向として算出され、移動方向の算出結果は、送信フレーム作成部１００９に出力される。
【０１３５】
送信フレームは、分離部１００８から出力されたＮＡＣＫ信号又はＡＣＫ信号に応じて、移動方向算出部１２０６から出力された移動方向の算出結果と共に作成され、変調部１０１０に出力される。
【０１３６】
通信端末装置１２００において、移動方向は、移動方向指示部１１１で分離部１２０２から出力された移動方向の算出結果に従って指示される。
【０１３７】
このように、本実施の形態によれば、過去のＮＡＣＫ信号とＡＣＫ信号の位置の分布から、過去に誤りが少なかったときの位置を移動する方向と算出し、移動方向の指示に従って過去に誤りが少なかった位置に移動することで、受信データの誤りが少なくなるためデータの再送回数を少なくし、伝送効率の向上を図ることができると共に、基地局装置で移動方向を算出することで、通信端末装置の消費電力を抑えることができる。
【０１３８】
（実施の形態８）
図１３は、本発明の実施の形態８に係る基地局装置及び通信端末装置の構成を示すブロック図である。なお、この図において前述した図１、図１０及び図１２と共通する部分には同一の符号を付けてその説明を省略する。
【０１３９】
本実施の形態の通信端末装置１３００では、位置情報取得部１２０４で取得された位置情報は、送信フレーム作成部１１２を介して、基地局装置１３０１に無線送信されるようになっている。
【０１４０】
また、通信端末装置１３００において、受信品質測定部３０１は、受信無線部１０３から出力された受信信号の品質を測定し、得られた受信品質を示す受信品質情報を送信フレーム作成部１１２に出力する。送信フレーム作成部１１２は、送信データと、誤り検出部１０６から出力されたＮＡＣＫ信号又はＡＣＫ信号と、受信品質測定部３０１から出力された受信品質情報から送信フレームを作成し、変調部１１３に出力する。
【０１４１】
基地局装置１３０１において、分離部１００８は、復調部１００７から出力された受信信号を復号すると共に、受信データと、ＮＡＣＫ信号又はＡＣＫ信号と、受信品質情報と、通信端末装置１３００の現在位置の情報とに分離し、受信データを出力し、ＮＡＣＫ信号又はＡＣＫ信号を送信フレーム作成部１００９に出力し、位置情報を位置情報記憶部１２０５に出力し、受信品質情報を受信品質記憶部１３０２に出力する。受信品質記憶部１３０２は、分離部１００８から出力された受信品質情報を記憶する。また、位置情報記憶部１２０５は、分離部１００８から出力された通信端末装置１３００の位置情報を記憶する。
【０１４２】
移動方向算出部１２０６は、受信品質記憶部１３０２で記憶された受信品質情報と、位置情報記憶部１２０５に記憶された位置情報とから、過去に受信品質が良かったときの位置を移動する方向と算出し、移動方向の算出結果を送信フレーム作成部１００９に出力する。
【０１４３】
このように、本実施の形態によれば、あらかじめ受信品質が測定されている分布から、受信品質が良くなることが予想される方向を知ることができ、その方向を移動する方向と算出し、移動方向の指示に従って移動することで、受信データの誤りが少なくなるためデータの再送回数を少なくし、伝送効率の向上を図ることができると共に、基地局装置で移動方向を算出することで、通信端末装置の消費電力を抑えることができる。
【０１４４】
（実施の形態９）
図１４は、本発明の実施の形態９に係る基地局装置及び通信端末装置の構成を示すブロック図である。なお、この図において前述した図１、図１０及び図１２と共通する部分には同一の符号を付けてその説明を省略する。
【０１４５】
通信端末装置１２００において、位置情報取得部１２０４は、ＧＰＳ等により外部から通信端末装置の位置情報を取得する。送信フレーム作成部１１２は、送信データと、誤り検出部１０６から出力されたＮＡＣＫ信号又はＡＣＫ信号と、位置情報取得部１２０４から出力された位置情報から送信フレームを作成し、変調部１１３に出力する。
【０１４６】
基地局装置１４００において、分離部１００８は、復調部１００７から出力された受信信号を復号し、受信データとＮＡＣＫ信号又はＡＣＫ信号と位置情報に分離し、受信データを出力し、ＮＡＣＫ信号又はＡＣＫ信号を送信フレーム作成部１００９に出力し、位置情報を移動方向算出部１２０６に出力する。地図情報取得部１４０１は、外部から通信端末装置近辺の地図情報を取得する。基地局装置位置情報取得部１４０２は、外部から通信端末装置と通信を行っている基地局装置の位置情報を取得する。
【０１４７】
移動方向算出部１２０６は、通信端末装置の位置情報と、通信端末装置近辺の地図情報と、通信端末装置と通信を行っている基地局装置の位置情報から、通信端末装置と基地局装置との間の遮蔽物を避ける方向を移動する方向と算出し、移動方向の算出結果を送信フレーム作成部１００９に出力する。
【０１４８】
このように、本実施の形態によれば、地図上に通信端末装置と、基地局装置と、通信端末装置と基地局装置との間の遮蔽物とを配置し、通信端末装置と基地局装置との間の遮蔽物を避けた位置を移動する方向と算出し、移動方向の指示に従って移動することで、受信データの誤りが少なくなるためデータの再送回数を少なくし、伝送効率の向上を図ることができると共に、基地局装置で移動方向を算出することで、通信端末装置の消費電力を抑えることができる。
【０１４９】
（実施の形態１０）
図１５は、本発明の実施の形態１０に係る基地局装置及び通信端末装置の構成を示すブロック図である。なお、この図において前述した図１、図１０及び図１２と共通する部分には同一の符号を付けてその説明を省略する。
【０１５０】
通信端末装置１２００において、位置情報取得部１２０４が取得した位置情報は、基地局装置１４００に送られる。
【０１５１】
一方、基地局装置１５００において、地図情報取得部１４０１は、外部から通信端末装置近辺の地図情報を取得する。受信品質分布情報取得部１５０１は、外部からあらかじめ測定された受信品質の分布情報を取得する。
【０１５２】
移動方向算出部１２０６は、通信端末装置の位置情報と、通信端末装置近辺の地図情報と、あらかじめ測定された受信品質の分布情報から、受信品質の良い方向を移動する方向と算出し、移動方向の算出結果を送信フレーム作成部１００９に出力する。
【０１５３】
このように、本実施の形態によれば、あらかじめ受信品質が測定されている分布から、受信品質が良くなることが予想される方向を知ることができ、その方向を移動する方向と算出し、移動方向の指示に従って移動することで、受信データの誤りが少なくなるためデータの再送回数を少なくし、伝送効率の向上を図ることができると共に、基地局装置で移動方向を算出することで、通信端末装置の消費電力を抑えることができる。
【０１５４】
（実施の形態１１）
図１６は、本発明の実施の形態１１に係る基地局装置及び通信端末装置の構成を示すブロック図である。なお、この図において前述した図１、図１０及び図１２と共通する部分には同一の符号を付けてその説明を省略する。
【０１５５】
通信端末装置１２００において、位置情報取得部１２０４が取得した位置情報は、基地局装置１６００に送られる。
【０１５６】
基地局装置１６００において、基地局装置位置情報取得部１４０２は、外部から通信端末装置近辺の複数の基地局装置の位置情報を取得する。基地局装置容量情報取得部１６０１は、外部から通信端末装置近辺の複数の基地局装置の容量情報を取得する。
【０１５７】
移動方向算出部１２０６は、通信端末装置の位置情報と、複数の基地局装置の位置情報と、複数の基地局装置の容量情報から、容量の空きが多い基地局装置の方向を移動する方向と算出し、移動方向の算出結果を送信フレーム作成部１００９に出力する。
【０１５８】
このように、本実施の形態によれば、複数の基地局装置の中から容量の空きが多い基地局装置の方向を移動する方向と算出し、移動方向の指示に従って容量の空きが多い基地局装置に近付き、その基地局装置と通信することで、受信データの誤りが少なくなるためデータの再送回数を少なくし、伝送効率の向上を図ることができると共に、基地局装置で移動方向を算出することで、通信端末装置の消費電力を抑えることができる。
【０１５９】
なお、本発明の通信端末装置の移動方向指示は、通信端末装置の表示部に方向を示す矢印で指示してもよい。
【０１６０】
これにより、通信端末装置の表示部の矢印を見ることで、データの再送回数が少なくなるための移動する方向を知ることができる。
【０１６１】
また、本発明の通信端末装置の移動方向指示は、通信端末装置の表示部に地図を示し、前記地図上に移動する方向を指示してもよい。
【０１６２】
これにより、通信端末装置の表示部の地図を見ることで、データの再送回数が少なくなるための移動する正確な方向を知ることができる。
【０１６３】
また、本発明の通信端末装置の移動方向指示は、通信端末装置の表示部に文字情報で指示してもよい。
【０１６４】
これにより、通信端末装置の表示部の文字情報を見ることで、データの再送回数が少なくなるための移動する方向を知ることができる。
【０１６５】
また、本発明の通信端末装置の移動方向指示は、音声で指示してもよい。
【０１６６】
これにより、通信端末装置からの音声の指示を聞くことで、データの再送回数が少なくなるための移動する方向を知ることができる。
【０１６７】
また、本発明の通信端末装置の移動方向算出は、誤りが多い場合のみ動作してもよい。
【０１６８】
また、本発明の通信端末装置の移動方向指示は、誤りが多い場合のみ動作してもよい。
【０１６９】
これらにより、受信データの誤りが少ない場合は移動する必要がないため移動方向を算出及び指示する動作させないことで、通信端末装置の消費電力を抑えることができる。
【０１７０】
なお、本発明の通信端末装置の受信品質とは、例えば、信号電力対干渉電力比（ＳＩＲ）や搬送波電力対干渉電力比（ＣＩＲ）のことである。
【０１７１】
なお、本実施の通信端末装置は、ＮＡＣＫ信号又はＡＣＫ信号を通信端末装置から基地局装置に送信する無線通信システムとしているが、ＮＡＣＫ信号又はＡＣＫ信号だけでなく、受信品質情報、或いは、受信品質情報から導かれる、基地局装置が送信し通信端末装置で誤りがなく受信することができる伝送容量の最大値を、通信端末装置から基地局装置に送信する無線通信システムに適用してもよい。
【０１７２】
なお、本発明の通信端末装置は、地図情報や基地局装置の位置情報や受信品質の分布情報を外部から取得しているが、ダウンロード等することにより、あらかじめ通信端末装置が地図情報や基地局装置の位置情報や受信品質の分布情報を持っていてもよい。
【０１７３】
なお、上記実施の形態をそれぞれ用いても組み合わせて用いてもよい。
【０１７４】
【発明の効果】
以上説明したように、本発明によれば、通信端末装置の位置情報を、ＡＲＱを用いた効率的な誤り制御のための、有用な補助情報としても用いることができ、通信端末装置の高機能化、高性能化を図ることができる。また、データの再送回数を少なくし、伝送効率の向上を図ることができる。
【図面の簡単な説明】
【図１】本発明の実施の形態１に係る通信端末装置の構成を示すブロック図
【図２】本発明の実施の形態１に係る通信端末装置の移動方向の算出の様子を示す図
【図３】本発明の実施の形態２に係る通信端末装置の構成を示すブロック図
【図４】本発明の実施の形態２及び実施の形態４に係る通信端末装置の移動方向の算出の様子を示す図
【図５】本発明の実施の形態３に係る通信端末装置の構成を示すブロック図
【図６】本発明の実施の形態３に係る通信端末装置の移動方向の算出の様子を示す図
【図７】本発明の実施の形態４に係る通信端末装置の構成を示すブロック図
【図８】本発明の実施の形態５に係る通信端末装置の構成を示すブロック図
【図９】本発明の実施の形態５に係る通信端末装置の移動方向の算出の様子を示す図
【図１０】本発明の実施の形態６に係る基地局装置および通信端末装置の構成を示すブロック図
【図１１】本発明の実施の形態６に係る基地局装置の送信アンテナのアレーの指向性又はビーム幅の変更の様子を示す図
【図１２】本発明の実施の形態７に係る基地局装置及び通信端末装置の構成を示すブロック図
【図１３】本発明の実施の形態８に係る基地局装置及び通信端末装置の構成を示すブロック図
【図１４】本発明の実施の形態９に係る基地局装置及び通信端末装置の構成を示すブロック図
【図１５】本発明の実施の形態１０に係る基地局装置及び通信端末装置の構成を示すブロック図
【図１６】本発明の実施の形態１１に係る基地局装置及び通信端末装置の構成を示すブロック図
【符号の説明】
１００、２００、３００、４００、５００、６００、７００、８００、９００、１０００、１１００、１２００、１３００  通信端末装置
１０１、１００２、１００３、１００４  アンテナ
１０２、１００５  アンテナ共用部
１０３、１００６  受信無線部
１０４、１００７  復調部
１０５  復号部
１０６  誤り検出部
１０７、１２０３  誤り記憶部
１０８、１２０４  位置情報取得部
１０９、１２０５  位置情報記憶部
１１０、１２０６  移動方向算出部
１１１  移動方向指示部
１１２、１００９  送信フレーム作成部
１１３、１０１０  変調部
１１４、１０１１  送信無線部
３０１  受信品質測定部
３０２、１３０２  受信品質記憶部
５０１、１４０１  地図情報取得部
５０２、１４０２  基地局装置位置情報取得部
６０１、９０１、９０２、９０３、１００１、１１０１、１２０１、１３０１、１４００、１５００、１６００  基地局装置
６０２  遮蔽物
７０１、１５０１  受信品質分布情報取得部
８０１、１６０１  基地局装置容量情報取得部
１００８、１２０２  分離部
１０１２  アレー指向性制御部
【図１】
2004153528.tif 000003
【図２】
2004153528.tif 000004
【図３】
2004153528.tif 000005
【図４】
2004153528.tif 000006
【図５】
2004153528.tif 000007
【図６】
2004153528.tif 000008
【図７】
2004153528.tif 000009
【図８】
2004153528.tif 000010
【図９】
2004153528.tif 000011
【図１０】
2004153528.tif 000012
【図１１】
2004153528.tif 000013
【図１２】
2004153528.tif 000014
【図１３】
2004153528.tif 000015
【図１４】
2004153528.tif 000016
【図１５】
2004153528.tif 000017
【図１６】
2004153528.tif 000018